(57)【要約】【課題】根絡みが強く、風雨の影響を受けにくく、且つ、緑化対象面を選ばないことを課題とする。【解決手段】セダムシュート１２とコケ配偶体１４を緑化材料２２として用いることで、コケ配偶体１４が客土１８中の水分を素早く吸収し、客土１８中の水分量を調整すると共に、乾燥時にはその水分を客土１８に浸透させる。これによって、豪雨による客土１８の流出を防ぐ。また、無降雨時には水分がコケ配偶体１４によって客土１８に供給されるので、降雨だけで十分生育可能な植栽マット４４が形成される。また、芝草種子１６を客土１８に混合させることで、芝草種子１６の根がセダムシュート１２、コケ配偶体１４の根及び客土１８に絡みつく。このことからも、降雨による客土１８の流出が抑えられ、且つ、客土１８乾燥時においてはセダムシュート１２及びコケ配偶体１４の飛散が防止できる。【選択図】    図３
2005021026.tif 000002
【特許請求の範囲】
【請求項１】
多肉植物と、コケ植物と、芝草と、養分及び水分を供給する土壌と、を所定の割合で混合して構成されたことを特徴とする緑化材料。
【請求項２】
前記芝草は、種子の状態で混合されることを特徴とする請求項１に記載の緑化材料。
【請求項３】
前記多肉植物はセダムシュートが用いられ、前記コケ植物はコケ配偶体が用いられることを特徴とする請求項１または請求項２に記載の緑化材料。
【請求項４】
前記土壌は、細粒土と粗粒土が混合されたことを特徴とする請求項１〜請求項３のいずれかに記載の緑化材料。
【請求項５】
前記土壌には、侵食防止剤が混合されたことを特徴とする請求項１〜請求項４のいずれかに記載の緑化材料。
【請求項６】
緑化対象面に形成した排水層の上に、所定の厚さで請求項１〜請求項５の緑化材料を敷き均し、芝草の根が成長して多肉植物、コケ植物及び土壌に絡み付くまで散水を行うことを特徴とする緑化工法。
【請求項７】
請求項１〜請求項５の緑化材料をトレーに敷き均し、芝草の根が成長して多肉植物、コケ植物及び土壌に絡み付くまで散水を行うこと特徴とする緑化工法。
【請求項８】
前記トレーは、緑化対象面にボルトで固定されることを特徴とする請求項７に記載の緑化工法。
【請求項９】
前記トレーから多肉植物、コケ植物及び土壌で構成された植栽マットを取出して、裏面に接着剤を塗布し、前記排水層上に接着することを特徴とする請求項７に記載の緑化工法。
【発明の詳細な説明】
【０００１】
【発明の属する技術分野】
本発明は、多肉植物、コケ植物、芝草及び土壌からなる緑化材料を用いた緑化材料及びその緑化材料を用いた緑化工法に関する。
【０００２】
【従来の技術】
エアコンの廃熱やアスファルト、コンクリートによる太陽熱の照り返しなどによって、都市部の気温の上昇が年々激しくなっている。このような、都市部で問題になっているヒートアイランド現象の緩和策として、屋上や屋根に芝草などの植物を植栽する緑化が普及している。実際に施工する上で、建物に対する荷重や、基盤客土に使用する材質などの課題もあり、この課題の解決の一つとして、セダム類などの多肉植物や栄養繁殖可能な植物を植栽する工法がある。
【０００３】
セダム類などの多肉植物は、耐乾燥性が非常に強く少量の水分でも生育可能なため、灌水手段を必要とせず、屋上や壁面などの水分の保持が難しい場所の緑化に適している。また、植栽基盤としての客土をあまり必要としないため、薄い植栽基盤でも生育可能であり、生育する基盤を薄くすることができる。このため、建物への荷重を軽減することが可能となり、荷重制限のある建物の緑化において、有効な緑化手段とされている。
【０００４】
従来から、重量制限のある屋上には、軽量の客土や、軽量で保水性の高いヤシ繊維やピートモスを主体とした植栽基盤に多肉植物を植え付けた緑化用基盤が用いられている。しかし、このような植栽基盤の場合、夏の高温多湿期には根腐れや蒸れによる葉の腐食によって多肉植物の生育が妨げられたり、豪雨で基盤の客土が流れ出してしまい、排水溝をつまらせる事態が起こる。また、ビルの屋上は地上部よりも風速が強いため、基盤が乾燥しているときには基盤の客土が風で飛散するという問題がある。
【０００５】
ここで、図７に示すように、合成樹脂製不織布よりなるスパイラル構造体１０２に粒状部材１０４を充填し、粒状部材１０４の充填層の上部に少量の客土１０８を摺込み充填させ、多肉植物１０６を植栽する永続性緑化基盤１００が開示されている（特許文献１）。この構成によれば、永続的な緑化を可能とし、排水性、耐火性、耐風雨性に優れ、更に雑草の混入を防止する、多肉植物を用いた永続性緑化基盤が形成される。
【０００６】
しかし、この場合、多肉植物の植栽基盤への根がらみの弱さから、風によって多肉植物と客土が飛ばされてしまう。このような状態になると、緑化の回復は不可能な状態となり、壊滅的な被害を受けることになる。
【０００７】
また、不織布マットにコケ植物を固定させた緑化用基盤を、緑化対象面に貼り付ける緑化工法が開示されている（特許文献２）。
【０００８】
この緑化用基盤は、緑化対象面に強力な糊や、アンカー等の固定具を用いて固定される。しかし、糊による固定方法は剥離を招き易く、また、アンカー等固定具を使用して固定する方法は、不織布マットが次第に腐食し、強度を失うために特に急傾斜面においては剥離脱落そして破壊の恐れがある。また、この緑化用基盤は無客土であるため、緑化対象面がコケ植物の根が進入可能な基盤でなければならない。さらに、この緑化用基盤は、紙繊維にコケ植物を固定したものであるため、緑化景観の創出に時間がかかると共に、ボリューム感に乏しい。
【０００９】
【特許文献１】
特開２００１−１６１１６０号公報（第４−５項、第１図）
【特許文献２】
特開平７−２２７１４３号公報（第５図）
【００１０】
【発明が解決しようとする課題】
本発明は上記事実を考慮し、根絡みが強くて風雨の影響を受けず、且つ、緑化対象面を選ばない緑化材料及びその緑化材料を用いた緑化工法を提供する。
【００１１】
【課題を解決するための手段】
請求項１に記載の本発明の緑化材料は、多肉植物と、コケ植物と、芝草と、養分及び水分を供給する土壌と、を所定の割合で混合して構成されたことを特徴としている。
【００１２】
請求項１に記載の発明によれば、所定の割合で多肉植物とコケ植物と芝草と養分及び水分を供給する土壌とが混合されて、緑化材料が構成されている。
【００１３】
乾燥に強い多肉植物と保水性に優れるコケ植物を緑化材料として用いることで、コケ植物が土壌中の水分を素早く吸収し、土壌中の水分量を調整すると共に、乾燥時にはその水分を土壌に浸透させる。これによって、豪雨による土壌の流出を防ぐ。また、無降雨時には多肉植物の育成に必要な水分がコケ植物によって土壌に供給されるので、降雨だけで十分生育可能な植栽基盤が形成される。
【００１４】
また、芝草を土壌に混合させることで、芝草の根が多肉植物、コケ植物の根及び土壌に絡みつく。このことからも、降雨による土壌の流出が抑えられ、且つ、土壌乾燥時においては多肉植物及びコケ植物の飛散が防止できる。
【００１５】
請求項２に記載の本発明の緑化材料は、前記芝草は、種子の状態で混合されることを特徴としている。
【００１６】
請求項２に記載の発明によれば、芝草として芝草種子を用いる。芝草種子が発芽して生育すると、その芝草の根が多肉植物、コケ植物の根及び土壌に絡みつく。このように、芝草種子を用いることで混合が容易で、且つ、材料費が安く抑えられるので、大幅なコストダウンに繋がる。
【００１７】
請求項３に記載の本発明の緑化材料は、前記多肉植物はセダムシュートが用いられ、前記コケ植物はコケ配偶体が用いられることを特徴としている。
【００１８】
請求項３に記載の発明によれば、多肉植物及びコケ植物に、それぞれ発芽可能な状態のセダムシュートとコケ配偶体を用いることで、芝草種子の発芽育成と同時にセダムシュート及びコケ配偶体も成長するので、芝草の根が多肉植物、コケ植物の根及び土壌に確実に絡む。
【００１９】
請求項４に記載の本発明の緑化材料は、前記土壌は、細粒土と粗粒土が混合されたことを特徴としている。
【００２０】
請求項４に記載の発明によれば、細粒土によって保水性が確保され、粗粒土によって透水性及び排水性が確保されるので、芝草種子の初期発芽育成が促される。これによって、多肉植物及びコケ植物が育成する基盤となる土壌の性能を確保する。また、夏の高温多湿の根腐れや葉の腐りを防止し、多肉植物及びコケ植物の生育に適した状況が形成される。さらに、排水性が良いことから、豪雨による多肉植物、コケ植物及び土壌の流出の心配もない。
【００２１】
請求項５に記載の本発明の緑化材料は、前記土壌には、侵食防止剤が混合されたことを特徴としている。
【００２２】
請求項５に記載の発明によれば、侵食防止剤によって土壌中の土粒子が連結されるので、風雨によって土壌が侵食されるのを防止する。
【００２３】
請求項６に記載の本発明の緑化工法は、緑化対象面に形成した排水層の上に、所定の厚さで請求項１〜請求項５の緑化材料を敷き均し、芝草の根が成長して多肉植物、コケ植物及び土壌に絡み付くまで散水を行うことを特徴としている。
【００２４】
請求項６に記載の発明によれば、緑化対象面に排水層を形成し、その上に緑化材を敷き均す。散水したとき、緑化材料の土壌中の余剰水分が排水層に浸透するので、多肉植物及びコケ植物の根腐れを防止すると共に、土壌の流出を防止することができる。
【００２５】
また、散水によって芝草種子の発芽育成が促進されるので、作業工程の短縮に繋がる。さらに、この緑化材料を構成する多肉植物とコケ植物は、乾燥に対して極めて強いので、土壌を敷き均して緑化面を形成することができる。
【００２６】
また、散水を打ち切って芝草を枯死させるので、基盤全体の重量が軽くなると共に、その後の散水が不要となる。このように、散水期間が一時期なので、施工後には灌水装置を必要とせず、施工後の緑化面の維持にコストがかからない。
【００２７】
請求項７に記載の本発明の緑化工法は、請求項１〜請求項５の緑化材料をトレーに敷き均し、芝草の根が成長して多肉植物、コケ植物及び土壌に絡み付くまで散水を行うこと特徴としている。
【００２８】
請求項７に記載の発明によれば、トレーに緑化材料が敷き均されているため、保管時にトレーを積み上げることが可能となり、大きな面積の保管場所を必要としない。また、芝草の根が多肉植物、コケ植物の根及び土壌に絡みついたトレーを、現場に搬送して緑化対象面に敷き詰めるだけで緑化が形成できる。
【００２９】
請求項８に記載の本発明の緑化工法は、前記トレーは、緑化対象面にボルトで固定されることを特徴としている。
【００３０】
請求項８に記載の発明によれば、トレーは緑化対象面にボルトを用いて固定されるので、緑化対象面への固定が簡単、且つ、強固に行える。また、緑化対象面で緑化材料を敷き均す必要がないため、騒音や廃棄物を出すことがなく施工場所の制約を受けない。
【００３１】
また、トレーの撤去が必要となった場合は、簡単に緑化対象面から取り外し、緑化対象面を元通りの状態に戻すことができる。
【００３２】
請求項９に記載の本発明の緑化工法は、前記トレーから多肉植物、コケ植物及び土壌で構成された植栽マットを取出して、裏面に接着剤を塗布し、前記排水層上に接着することを特徴としている。
【００３３】
請求項９に記載の発明によれば、植栽マットをトレーから取出して使用することで、緑化対象面に凹凸がある場所、または狭い場所でも、凹凸や面積に合わせて緑化が行える。また、植栽マットのみとなってさらに軽量化されるので、垂直に近い壁面等の緑化にも適している。
【００３４】
【発明の実施の形態】
第１の実施形態に係る緑化材料の作成工程について説明する。
【００３５】
図１に示すように、セダムのセダムシュート１２、コケ植物のコケ配偶体１４、芝草種子１６、客土１８及び侵食防止剤２０を所定の割合で均一に混合し、緑化材料２２を作成する。ここでは、客土１８を１０リットルに対して、コケ配偶体１４を１ｋｇ、芝草種子１６を３０ｇ、セダムシュート１２を１ｋｇの割合で混合する。
【００３６】
セダムは、北半球の温帯から熱帯の広い範囲に４４００種以上分布する小型の多肉植物で、ベンケイソウ科マンネングサ属の多年草の総称である。性質は極めて強健で、暑さ、寒さ、乾燥などのストレスに強く、しかも痩せ地や薄層の土壌でも生育可能で、粗放管理にも良く耐えるため、屋上緑化に最も適した植物の１つである。
【００３７】
セダムの種類として、メキシコマンネングサ、マルバマンネングサ、タイトゴメ、コーラルカーペット、ツルマンネングサ等が挙げられる。このようにセダムを用いることで、客土１８を薄くする事ができるため、既存建築物の屋上等の荷重制限をクリアできる。また、客土１８を薄くする事により、雑草が発芽してもその成長は極端に抑制されるので、短い期間内に枯死する。さらに、多肉植物で形成された緑化マットは、樹木、芝生で形成された緑化マットに比べて１ｍ２当たりの単価が安くできるというメリットがある。
【００３８】
コケ植物は、スナゴケ、ハイゴケをはじめとする各種コケ類が用いられる。ここでは、採取したコケ植物を、仮根で連結された群落ごとに解体し、さらにその群落を個々に分解したものがコケ配偶体１４である。
【００３９】
なお、ここでは、コケ配偶体１４を使用したが、コケ配偶体１４として解体する前の状態のコケ植物を用いることも可能である。また、コケ植物の種類は特に限定されないが、市場性や環境適応性を考慮して、スナゴケ、ハイゴケ、シノブゴケ等を用いることが好ましい。
【００４０】
コケ植物は、一時的に大量の水分を素早く保持すると共に、乾燥時にはその水分を客土１８に浸透させる。すなわち、降雨時には客土１８中の水分を吸収して水分調整を行うことで土砂の流出を抑え、乾燥時には客土１８に水分の補給を行い、風による客土１８の飛散を防止する。
【００４１】
客土１８には、赤玉土、鹿沼土、軽石、川砂、ピートモス、黒土、バーミキュライト、緩効性化学肥料などをセダムシュート１２及びコケ配偶体１４に適した配合で混合したものが使用される。また、細粒土と粗粒土を混合させて用いており、これによって、客土１８の透水性及び保水性が確保される。ここでは、細粒土と粗粒土の割合を１：５で混合させたものが使用される。
【００４２】
また、侵食防止剤２０としては、浸透充填型としてセメント系、被膜型としてアスファルト系、浸透連結型としてポリ酢酸ビニール系、アクリル系及び水溶性尿素樹脂系などが用いられる。客土１８に侵食防止剤２０を混合させることで、客土１８の土粒子が連結されるので、風雨等によって客土１８が侵食されるのを防ぐ効果がある。また、侵食防止剤２０は、例えば、アクリル系エマルジョン２リットル／ｍ２相当を客土１８に混合させることが望ましい。
【００４３】
次に、この緑化材料２２をトレー２４に敷き均す。トレー２４は、矩形状の箱型とされ、本実施形態においては、高密度ポリエチレン製のものが使用される。また、敷き均される緑化材料２２の厚さは１５〜２０ｍｍが適当とされる。このとき、緑化材料２２の厚さを１５ｍｍ以下にした場合には、芝草１６Ａの根がセダムシュート１２、コケ配偶体１４及び客土１８に絡み付くほどに伸長することが困難となり、また、２０ｍｍ以上にした場合には、緑化材料２２で形成される緑化マット４４の重量が重くなってしまう。
【００４４】
図２に示すように、トレー２４の底面２４Ａには凸部３０が形成されており、底面２４Ａにフィルター２６を敷設し、固定ピン２８で止めることで凸部３０とフィルター２６との間を客土１８に染み込んだ余剰水分が流れる。また、トレー２４の側面２４Ｂには、排水口４２が形成されており、この排水口４２から客土１８中の余剰水分が排出される。また、排水口４２を通して新鮮な空気がセダムシュート１２及びコケ植物１４の根に供給されるので、根腐れ等の心配がない。また、トレー２４の四隅には、ボルト５６（図４参照）の座面５７が形成されている。
【００４５】
次に、緑化材料２２をフィルター２６の上に敷き均す。ここで、図３（Ａ）に示すように、緑化材料２２が敷き均されたトレー２４の上からホース２１を用いて散水を行う。この散水による水分補給によって、緑化材料２２の中の芝草種子１６が発芽して成長し、芝草１６Ａの根が伸長してセダムシュート１２、コケ配偶体１４の根及び客土１８に絡みつく。
【００４６】
図３（Ｂ）に示すように、芝草種子１６が発芽成長し、芝草１６Ａの草丈が１００〜２００ｍｍ程度まで成長したら、図３（Ｃ）に示すように、散水を打ち切って芝草１６Ａを枯死させる。このとき、枯死した芝草１６Ａの根が、芝草１６Ａと共に成長したセダムシュート１２、コケ配偶体１４の根及び客土１８に絡み付いている。この状態で、セダムシュート１２、コケ配偶体１４が自然に育成するのを見守り、図３（Ｄ）に示すように、トレー２４内に植栽マット４４が形成された緑化トレー１０を完成させる。
【００４７】
次に、緑化トレー１０を施工する方法について説明する。
【００４８】
図４に示すように、緑化を行う屋上等の緑化対象面に砕石を敷き詰めて排水層５２を形成する。次に、緑化トレー１０を緑化対象面がある場所に運び込み、緑化対象面に敷設する。緑化トレー１０は、隣合うトレー２４の側壁２４Ｂ（図２参照）同士を専用の接続ピン（図示省略）を用いて連結される。また、緑化トレー１０のトレー２４の四隅には、ボルト５６が挿通可能なボルト穴５８が座面５７に形成されている。ボルト孔５８にボルト５６を挿通し、緑化対象面に緑化トレー１０を固定させる。このようにして、複数の緑化トレー１０を連結させながら緑化対象面に固定し、緑化対象面の緑化を完成させる。
【００４９】
次に、第１の実施形態に係る作用について説明する。
【００５０】
セダムシュート１２、コケ配偶体１４、芝草種子１６及び客土１８が混合された緑化材料２２をトレー２４に敷き詰め、散水を行う。芝草種子１６が発芽成長し、芝草１６Ａの草丈が１００〜２００ｍｍ程度まで成長したところで散水を打ち切り芝草１６Ａを枯死させる。このようにして形成した緑化トレー１０を、緑化対象面にボルト５６で固定することで、緑化対象面の緑化が行われる。
【００５１】
乾燥に強いセダムシュート１２と、保水性に優れるコケ植物としてのコケ配偶体１４を緑化材料２２として用いることで、コケ植物が客土１８中の水分を素早く吸収し、客土１８中の水分量を調整すると共に、乾燥時にはその水分を客土１８に浸透させる。これによって、豪雨による客土１８の流出を防ぐ。また、無降雨時にはセダムシュート１２の育成に必要な水分がコケ配偶体１４によって客土１８に供給されるので、降雨だけで十分生育可能な植栽マット４４が形成される。
【００５２】
また、芝草種子１６を客土１８に混合させることで、芝草種子１６から発芽成長した芝草１６Ａの根がセダムシュート１２、コケ配偶体１４の根及び客土１８に絡みつく。このことからも、降雨による客土１８の流出が抑えられ、且つ、客土１８の乾燥時においてはセダム及びコケ植物の飛散が防止できる。
【００５３】
緑化材料２２が敷き均されたトレー２４は、保管時に積み上げることが可能となり、大きな面積の保管場所を必要としない。また、芝草１６Ａの根がセダム、コケ植物の根及び客土１８に絡みついた植栽マット４４が形成された緑化トレー１０を、現場に搬送して緑化対象面に敷き詰めるだけで緑化が形成できる、
次に、本発明の第２の実施形態に係る緑化工法を説明する。
【００５４】
図５に示すように、緑化対象面に敷設された排水層５２上に、緑化トレー１０から取出した植栽マット４４を載置する。ここでは、植栽マット４４の裏面４４Ａに接着剤４５を塗布し、緑化対象面に植栽マット４４を接着固定させる。
【００５５】
次に、本発明の第２の実施形態の作用について説明する。
【００５６】
植栽マット４４を緑化トレー１０から取出して使用することで、緑化対象面が平らでなくても施工できるので、緑化対象面の制約がない。植栽マット４４を緑化トレー１０から取出して使用することで、緑化対象面に凹凸がある場所、または狭い場所でも、凹凸や面積に合わせて緑化が行える。また、植栽マット４４のみとなってさらに軽量化されるので、垂直に近い壁面等の緑化にも適している。
【００５７】
次に、本発明の第３の実施形態に係る緑化工法を説明する。
【００５８】
図６に示すように、緑化対象面に排水層５６を形成する。排水層５６の上に、セダムシュート１２、コケ配偶体１４、芝草種子１６、客土１８及び侵食防止剤２０を混合した緑化材料２２を敷き均す。この後の工程は、第１の実施形態と同様なので割愛する。
【００５９】
次に、本発明の第３の実施形態の作用について説明する。
【００６０】
図６に示すように、緑化対象面に排水層５２を敷き詰めて、その上に直接緑化材料２２を敷き詰めて緑化対象面に緑化が形成されるので、凹凸のある場所、または狭い場所でも、施工場所の凹凸や面積に合わせて緑化が行える。
【００６１】
なお、本実施形態においては、略矩形状のトレー２４を用いたが、形状は略矩形状に限らず、緑化対象面、施工場所に応じた形の物を使用することができる。また、トレー２４の素材は特に限定されず、金型、木型、プラスチック型などが使用可能である。
【００６２】
また、本実施形態では、芝草１６Ａの根をセダムシュート１２、コケ配偶体１４の根及び客土１８に絡ませたが、芝草１６Ａの根に限らず、根が伸びるものであれば使用することができ、芝草の種子以外に稲の種子等が用いられる。逆に、ＣＰマット等の厚みのあるマット状の物にセダムシュート１２、コケ配偶体１４及び客土１８を絡ませてもよい。
【００６３】
また、緑化トレー１０の四隅をボルト５６で緑化対象面に固定したが、緑化トレー１０の裏面に接着剤または接着テープを用いて、緑化対象面に接着固定させてもよい。
【００６４】
【発明の効果】
本発明は上記構成としたので、根絡みが強く、風雨の影響を受けにくく、且つ、緑化対象面を選ばない。
【図面の簡単な説明】
【図１】第１の実施形態に係る緑化材料の製造方法を示す図である。
【図２】第１の実施形態に係る緑化工法を示す図である。
【図３】第１の実施形態に係る緑化工法を示す側面断面図である。
【図４】第１の実施形態に係る緑化工法を示す斜視図である。
【図５】第２の実施形態に係る緑化工法を示す斜視図である。
【図６】第３の実施形態に係る緑化工法を示す側面断面図である。
【図７】従来の緑化工法を示す図である。
【符号の説明】
１０    緑化トレー
１２    セダムシュート（多肉植物、セダム）
１４    コケ配偶体（コケ植物）
１６    芝草種子（芝草）
１８    客土（土壌）
２０    侵食防止剤
２２    緑化材料
２４    トレー
４４    植栽マット
５６    ボルト
【図１】
2005021026.tif 000003
【図２】
2005021026.tif 000004
【図３】
2005021026.tif 000005
【図４】
2005021026.tif 000006
【図５】
2005021026.tif 000007
【図６】
2005021026.tif 000008
【図７】
2005021026.tif 000009